(57)【特許請求の範囲】
【請求項１】
上方に配置された第１の壁部と、前記第１の壁部に隣接した第２の壁部と、を有するケースと、
前記第１の壁部に空気流が当たるように前記ケース内部に空気流を送るファンと、
前記ケース内部で、前記第１の壁部の近傍かつ下方に設けられる第１の発熱体と、
前記ケース内部で、前記第１の壁部から見て前記第１の発熱体よりも下方に設けられる第２の発熱体と、
前記第１の発熱体の近傍で前記第２の壁部に設けられ、前記空気流を前記ケースの外部に排出する第１の排気口と、
前記第２の発熱体の近傍で前記第２の壁部に前記第１の排気口よりも下方に設けられ、前記第１の排気口の開口面積よりも大きい開口面積を有し、前記空気流を前記ケースの外部に排出する第２の排気口と、
を備えるエレベータの制御装置。
【請求項２】
前記ケース内部で前記第１の発熱体および前記第２の発熱体よりも前記ファンに近い位置に設けられ、前記空気流を前記第１の発熱体および前記第２の発熱体に向けて案内する整風部材を備える請求項１に記載のエレベータの制御装置。
【請求項３】
前記第１の排気口は、前記第２の壁部から見て前記第１の発熱体と重なる位置に設けられるとともに、
前記第２の排気口は、前記第２の壁部から見て前記第２の発熱体と重なる位置に設けられる請求項２に記載のエレベータの制御装置。
【請求項４】
前記第１の発熱体および前記第２の発熱体は、横方向に関して、互いに分離した位置に設けられる請求項１に記載のエレベータの制御装置。
【請求項５】
上方に配置される第１の壁部と、前記第１の壁部に隣接する第２の壁部と、を有するケースと、
前記第１の壁部に空気流が当たるように前記ケース内部に空気流を送るファンと、
前記ケース内部で、前記第１の壁部の近傍かつ下方に設けられる第１の発熱体と、
前記ケース内部で、前記第１の壁部から見て前記第１の発熱体よりも下方に設けられる第２の発熱体と、
前記ケース内部で、前記第１の壁部から見て前記第２の発熱体よりも下方に設けられる第３の発熱体と、
前記第１の発熱体の近傍で前記第２の壁部に設けられ、前記空気流を前記ケース外部に排出する第１の排気口と、
前記第２の発熱体の近傍で前記第１の排気口よりも下方に前記第２の壁部に設けられ、前記第１の排気口の開口面積よりも大きい開口面積を有し、前記空気流を前記ケース外部に排出する第２の排気口と、
前記第３の発熱体の近傍で前記第２の排気口よりも下方に前記第２の壁部に設けられ、前記第２の排気口の開口面積よりも大きい開口面積を有し、前記空気流を前記ケース外部に排出する第３の排気口と、
を備えるエレベータの制御装置。
【請求項６】
前記ケース内部で前記第１の発熱体、前記第２の発熱体、および前記第３の発熱体よりも前記ファンに近い位置に設けられ、前記空気流を前記第１の発熱体、前記第２の発熱体、および前記第３の発熱体に向けて案内する整風部材を備える請求項５に記載のエレベータの制御装置。
【請求項７】
前記第１の排気口は、前記第２の壁部から見て前記第１の発熱体と重なる位置に設けられ、
前記第２の排気口は、前記第２の壁部から見て前記第２の発熱体と重なる位置に設けられるとともに、
前記第３の排気口は、前記第２の壁部から見て前記第３の発熱体と重なる位置に設けられる請求項６に記載のエレベータの制御装置。
【発明の詳細な説明】
【技術分野】
【０００１】
本発明の実施形態は、発熱体を有したエレベータの制御装置に関する。
【背景技術】
【０００２】
インバータユニットを冷却した後の排気風を回生抵抗ユニットに導くためのダクトを備えたエレベータの制御盤が存在する。
【先行技術文献】
【特許文献】
【０００３】
【特許文献１】特開２００５−１７６４８８号公報
【発明の概要】
【発明が解決しようとする課題】
【０００４】
一方、回生抵抗に代表される発熱体の冷却性能については、依然として改良の余地があった。  
本発明は、発熱体の冷却性能を向上したエレベータの制御装置を提供することを目的とする。
【課題を解決するための手段】
【０００５】
実施形態のエレベータの制御装置は、上方に配置される第１の壁部と、前記第１の壁部に隣接した第２の壁部と、を有するケースと、前記第１の壁部に空気流が当たるように前記ケース内部に空気流を送るファンと、前記ケース内部で、前記第１の壁部の近傍かつ下方に設けられる第１の発熱体と、前記ケース内部で、前記第１の壁部から見て前記第１の発熱体よりも下方に設けられる第２の発熱体と、前記第１の発熱体の近傍で前記第２の壁部に設けられ、前記空気流を前記ケースの外部に排出する第１の排気口と、前記第２の発熱体の近傍で前記第２の壁部に前記第１の排気口よりも下方に設けられ、前記第１の排気口の開口面積よりも大きい開口面積を有し、前記空気流を前記ケースの外部に排出する第２の排気口と、を備える。
【図面の簡単な説明】
【０００６】
【図１】第１の実施形態にかかるエレベータを示した正面図。
【図２】図１に示す制御盤の一部を拡大して示した断面図。
【図３】図１に示す制御盤の半導体スイッチング素子およびフィンを拡大して示した斜視図。
【図４】図２に示す制御盤のケースの張出部の横方向（水平方向）に沿った断面図。
【図５】図２に示す制御盤のケースの張出部の縦方向（鉛直方向）に沿った断面図。
【図６】第２の実施形態にかかるエレベータの制御盤の張出部の横方向（水平方向）に沿った断面図。
【図７】図６に示す制御盤のケースの張出部の縦方向（鉛直方向）に沿った断面図。
【図８】第３の実施形態にかかるエレベータの制御盤の一部を拡大して示した断面図。
【図９】第４の実施形態にかかるエレベータの制御盤の一部を拡大して示した断面図。
【図１０】図９に示す制御盤のケースの張出部の縦方向（鉛直方向）に沿った断面図。
【図１１】第５の実施形態にかかるエレベータの制御盤の一部を拡大して示した断面図。
【図１２】図１１に示す制御盤のケースの張出部の縦方向（鉛直方向）に沿った断面図。
【図１３】第６の実施形態にかかるエレベータの制御盤の一部を拡大して示した断面図。
【図１４】図１３に示す制御盤のケースの張出部の横方向（水平方向）に沿った断面図。
【発明を実施するための形態】
【０００７】
図１から図５を参照して、エレベータの制御装置を適用したエレベータの第１の実施形態について説明する。
【０００８】
図１から図３に示すように、エレベータ１１は、昇降路１２と、昇降路１２内を昇降する乗りかご１３と、昇降路１２の上方に設けられる機械室１４と、機械室１４に設けられる巻上機１５および制御盤１６と、巻上機１５のメインシーブ１７に巻き掛けられるとともに一端で乗りかご１３に固定されるメインロープ１８と、メインロープ１８の他端に固定されるつり合い重り２１と、乗りかご１３の昇降をガイドするメインレールと、つり合い重り２１の昇降をガイドするカウンターレールと、乗りかご１３に制御信号および電力を供給するテールコード２２と、乗りかご１３とつり合い重り２１とを連結したコンペンセーティングロープ２３と、コンペンセーティングロープ２３が巻き掛けられるコンペンセーティングシーブ２４と、を備えている。
【０００９】
制御盤１６は、エレベータの制御装置の一例であり、エレベータ全体を統括的に制御している。図２、図３に示すように、制御盤１６は、本体部２５および張出部２６を有したケース２７と、ケース２７の本体部２５に収納される金属製の取り付けベース板（台座）２８および制御回路ユニット３１と、取り付けベース板２８上に冷却用のフィン３２を介して取り付けられた半導体スイッチング素子３３と、半導体スイッチング素子３３を冷却するとともに、ケース２７の張出部２６に空気流を送るファン３４と、ファン３４の空気流を張出部２６に向けて案内するダクト部３５と、ケース２７の張出部２６内に収納された複数の第１の発熱体３６および複数の第２の発熱体３７と、を備えている。このとき、ファン３４から送られる空気の流量に対して、第１の排気口４４および複数の第２の排気口４５の面積が比較的小さくなっているため、張出部２６の内部は、１気圧よりも若干高い圧力に加圧された状態を維持する。
【００１０】
図５に示すように、ファン３４は、後述するケース２７の天板４１（第１の壁部）に空気流が当たるようにケース２７内部に空気流を送ることができる。また、ファン３４は、その吸引力によって、図３に示すように、フィン３２の間に空気を通して、半導体スイッチング素子３３を冷却する。
【００１１】
第１の発熱体３６および第２の発熱体３７は、本実施形態では例えば、回生抵抗で構成されているが、これに限定されるものではない。第１の発熱体３６および第２の発熱体３７は、冷却の対象となるものであればどのようなものでも良く、例えばバッテリ等の電力を蓄積できる手段であってもよい。また、回生抵抗は、例えば、移動中の乗りかご１３を停止させる際に、巻上機１５が発電機となって発電された電流が電源側に逆流して悪影響を及ぼすことを防止するために、例えば制御盤１６等に設けられることが多い。
【００１２】
第１の発熱体３６および第２の発熱体３７は、内部に電熱線を埋め込んだ断面方形の棒状をなしている。図５に示すように、本実施形態では、第１の発熱体３６は、天板４１の近傍に２個配置されている。また、第２の発熱体３７は、天板４１（第１の壁部）から見て第１の発熱体３６よりも遠い位置に２個配置されている。図４、図５に示すように、第１の発熱体３６および第２の発熱体３７は、一対のブラケット４２の間に渡されてケース２７の張出部２６に固定されている。第１の発熱体３６および第２の発熱体３７は、鉛直方向（上下方向）において重なった位置にそれぞれ配置されている。
【００１３】
図４に示すように、第１の発熱体３６および第２の発熱体３７は、天板４１（第１の壁部）から見てファン３４から外れた位置に設けられている。これによって、ファン３４の直上に第１の発熱体３６および第２の発熱体３７を設けた場合に比して、第１の発熱体３６および第２の発熱体３７が冷却される程度を同じ程度にして、これらを均一に冷却することができる。このため、これらに温度差を生じることを防いで、第１の発熱体３６および第２の発熱体３７（回生抵抗）の寿命が短くなることが防止している。
【００１４】
図５に示すように、ケース２７の張出部２６は、第１の壁部の一例である天板４１と、第１の壁部（天板４１）に隣接した第２の壁部の一例である前面板４３と、第１の発熱体３６および第２の発熱体３７を支持するためのブラケット４２（発熱体固定板）と、前面板４３に設けられた複数の第１の排気口４４および複数の第２の排気口４５と、を有している。複数の第１の排気口４４は、前面板４３の天板４１に近い位置、つまり第１の発熱体３６の近傍に設けられており、主として第１の発熱体３６を冷却するために利用された空気流をケース２７の外部に排出する。複数の第２の排気口４５は、天板４１から見て第１の排気口４４よりも遠い位置で第２の発熱体３７の近傍に設けられており、主として第２の発熱体３７を冷却するために利用された空気流をケース２７の外部に排出する。
【００１５】
全ての第２の排気口４５の開口面積の合計は、全ての第１の排気口４４の開口面積の合計よりも大きくなっている。より具体的には、第２の排気口４５の開口面積と第１の排気口４４の開口面積の比率は、例えば、２：１である（図２参照）。
【００１６】
図５を参照して、本実施形態の制御盤１６における第１の発熱体３６および第２の発熱体３７の冷却作用について説明する。
【００１７】
ファン３４からケース２７（の張出部２６）内に送られる空気流は、まずその大部分がそのまま直進して天板４１（第１の壁部）に当たる。その後当該空気流は方向を変えて前面板４３（第２の壁部）のある方向に流れて、主として第１の発熱体３６を冷却しつつ、第１の排気口４４から熱とともにケース２７の外部に排出される。また、天板４１（第１の壁部）に当たった空気流の一部は、第２の発熱体３７のある方向（斜め下方向）に流れて、第２の発熱体３７を冷却する。同様に、ファン３４から送られた空気流のうち、天板４１（第１の壁部）に当たらないで分岐したものは、第２の発熱体３７の方向に向かって第２の発熱体３７を冷却する。本実施形態では、第１の排気口４４と第２の排気口４５との開口比率が１：２になっているので、一旦第１の発熱体３６に向かった空気流がそのまま第１の排気口４４から排出されることなく、熱とともに第２の排気口４５で積極的に排出され、その途中にある第２の発熱体３７の冷却が促進される。
【００１８】
本実施形態によれば、エレベータの制御装置は、第１の壁部と、第１の壁部に隣接した第２の壁部と、を有するケース２７と、第１の壁部に空気流が当たるようにケース２７内部に空気流を送るファン３４と、ケース２７内部で、第１の壁部の近傍に設けられる第１の発熱体３６と、ケース２７内部で、第１の壁部から見て第１の発熱体３６よりも遠い位置に設けられる第２の発熱体３７と、第１の発熱体３６の近傍で第２の壁部に設けられ、空気流を前記ケース２７の外部に排出する第１の排気口４４と、第２の発熱体３７の近傍で第２の壁部に第１の排気口４４の開口面積よりも大きく設けられ、空気流をケース２７の外部に排出する第２の排気口４５と、を備える。
【００１９】
一般に、ファン３４からの空気流を一旦第１の壁部に突き当たるようなレイアウトとすると、当該空気流は第１の壁部に沿って流れる傾向があり、主として第１の壁部近傍にある第１の発熱体３６を冷却し、第１の壁部から離れた第２の発熱体３７については冷却がうまくなされないことがある。上記の構成によれば、第２の発熱体３７の近傍にある第２の排気口４５の開口面積を大きくしているため、第２の排気口４５においてより多くの空気をケース２７の外部に排出することができる。これによって、一旦第１の発熱体３６のある方向（第１の排気口４４）に向かった空気流を第２の発熱体３７のある方向（第２の排気口４５）に迂回させることができ、第１の発熱体３６および第２の発熱体３７を均一に冷却することができる。これによって、第１の発熱体３６および第２の発熱体３７が回生抵抗で構成される場合には、これらを長寿命化できるとともに、第１の発熱体３６および第２の発熱体３７の設置位置によって寿命が異なるような事態を生ずることを防止することができる。
【００２０】
続いて、図６、図７を参照して、エレベータの制御装置を適用したエレベータ１１の第２の実施形態について説明する。主として第１の実施形態と異なる部分について説明し、第１の実施形態と共通する箇所については共通の符号を付して説明を省略する。
【００２１】
図７に示すように、第１の発熱体３６は、天板４１の近傍に２個配置されている。また、第２の発熱体３７は、天板４１（第１の壁部）から見て第１の発熱体３６よりも遠い位置に２個配置されている。第１の発熱体３６および第２の発熱体３７は、横方向（水平方向）に関して、互いに分離した位置(上下方向において重ならない位置)に設けられる。図７から明らかなように、第１の発熱体３６と第２の発熱体３７は、横方向から見て互い違いになっている。この構造によって、直下にある第２の発熱体３７によって上側の第１の発熱体３６が温められるようなことがなく、発熱体間で温度にばらつきを生ずることが防止される。
【００２２】
複数の第１の排気口４４は、前面板４３の天板４１に近い位置、つまり第１の発熱体３６の近傍に設けられており、主として第１の発熱体３６を冷却するために利用された空気流をケース２７の外部に排出する。複数の第２の排気口４５は、天板４１から見て第１の排気口４４よりも遠い位置で、第２の発熱体３７の近傍で前面板４３に設けられており、主として第２の発熱体３７を冷却するために利用された空気流をケース２７の外部に排出する。全ての第２の排気口４５の開口面積の合計と全ての第１の排気口４４の開口面積の合計の比率は、第１の実施形態と同様に、例えば、２：１である。
【００２３】
図７を参照して、本実施形態の制御盤における第１の発熱体３６および第２の発熱体３７の冷却作用について説明する。
【００２４】
ファン３４からケース２７（の張出部２６）内に送られる空気流は、大部分がそのまま直進して天板４１（第１の壁部）に当たる。その後当該空気流は方向を変えて前面板４３（第２の壁部）のある方向に流れて、主として第１の発熱体３６を冷却しつつ、第１の排気口４４から熱とともにケース２７の外部に排出される。また、天板４１（第１の壁部）に当たった空気流の一部は、第２の発熱体３７のある方向（斜め下方向）に流れて、第２の発熱体３７を冷却する。このとき、第１の発熱体３６と第２の発熱体３７とが互い違いに配置されているので、第１の実施形態に比して第１の発熱体３６と第２の発熱体３７との間の隙間が大きくなり、この隙間を通る空気の流量が多くなって、第２の発熱体３７の冷却が促進される。同様に、ファン３４から送られた空気流のうち、天板４１（第１の壁部）に当たらないで分岐したものは、第２の発熱体３７の方向に向かって第２の発熱体３７を冷却する。第２の発熱体３７を冷却した空気流は、主として第２の排気口４５を介してケース２７外部に排出される。
【００２５】
第２の実施形態によれば、第１の発熱体３６および第２の発熱体３７は、横方向に関して、互いに分離した位置に設けられる。この構成によれば、例えば下側にある発熱体によって上側の発熱体が暖められるようなことがない。また、第１の壁部に近い第１の発熱体３６と、第２の壁部から遠い第２の発熱体３７とが、いわゆる互い違いに配置されるようになるため、第１の発熱体３６と第２の発熱体３７との間の隙間が大きくなり、この隙間に空気流を多く通すことができる。これによっても、第２の壁部から遠い第２の発熱体３７の冷却を促進することができ、第１の発熱体３６および第２の発熱体３７を均一に冷却することができる。また、本実施形態によれば、第１の発熱体３６および第２の発熱体３７を密集して配置したとしても冷却性能が損なわれることがないので、これによってケース２７をコンパクトにして制御盤１６の設置に必要なスペースを小さくすることができる。
【００２６】
続いて、図８を参照して、エレベータの制御装置を適用したエレベータ１１の第３の実施形態について説明する。主として第２の実施形態と異なる部分について説明し、第２の実施形態と共通する箇所については共通の符号を付して説明を省略する。
【００２７】
第１の発熱体３６は、天板４１の近傍に２個配置されている。また、第２の発熱体３７は、天板４１（第１の壁部）から見て第１の発熱体３６よりも遠い位置に２個配置されている。第１の発熱体３６および第２の発熱体３７は、第２の実施形態と同様に、横方向（水平方向）に関して、互いに分離した位置(上下方向において重ならない位置)に設けられる。言い換えると、第１の発熱体３６と第２の発熱体３７は、横方向から見て互い違いになっている。
【００２８】
複数の第１の排気口４４は、前面板４３の天板４１に近い位置、つまり第１の発熱体３６の近傍に設けられており、主として第１の発熱体３６を冷却するために利用された空気流をケース２７の外部に排出する。複数の第２の排気口４５は、天板４１から見て第１の排気口４４よりも遠い位置で、第２の発熱体３７の近傍で前面板４３に設けられており、主として第２の発熱体３７を冷却するために利用された空気流をケース２７の外部に排出する。全ての第２の排気口４５の開口面積の合計と全ての第１の排気口４４の開口面積の合計の比率は、第２の実施形態とは異なり、例えば、５：３である。
【００２９】
本実施形態では、第１の排気口４４は、前面板４３（第２の壁部）から見て、つまり正面方向から見て第１の発熱体３６と重なる位置に設けられている。第２の排気口４５は、前面板４３（第２の壁部）から見て、つまり正面方向から見て第２の発熱体３７と重なる位置に設けられている。
【００３０】
本実施形態の制御盤１６における第１の発熱体３６および第２の発熱体３７の冷却作用について説明する。
【００３１】
ファン３４からケース２７（の張出部２６）内に送られる空気流は、まず大部分がそのまま直進して天板４１（第１の壁部）に当たる。その後当該空気流は方向を変えて前面板４３（第２の壁部）のある方向に流れて、主として第１の発熱体３６を冷却しつつ、第１の排気口４４から熱とともにケース２７の外部に排出される。このとき、第１の排気口４４が第１の発熱体３６と重なる位置に設けられているので、第１の排気口４４から排出される空気流は、第１の発熱体３６の上下に分かれて、第１の発熱体３６を巻き込む形で第１の発熱体３６付近を通過する。このため、本実施形態では、第１の発熱体３６の冷却効率が第２の実施形態よりも向上している。
【００３２】
また、天板４１（第１の壁部）に当たった空気流の一部は、第２の発熱体３７のある方向（斜め下方向）に流れて、第２の発熱体３７を冷却する。同様に、ファン３４から送られた空気流のうち、天板４１（第１の壁部）に当たらないで分岐したものは、第２の発熱体３７の方向に向かって第２の発熱体３７を冷却する。このとき、第２の排気口４５が第２の発熱体３７と重なる位置に設けられているので、第２の排気口４５から排出される空気流は、第２の発熱体３７の上下に分かれて、第２の発熱体３７を巻き込む形で第２の発熱体３７付近を通過する。このため、本実施形態では、第２の発熱体３７の冷却効率が第２の実施形態よりも向上している。
【００３３】
第３の実施形態によれば、第１の排気口４４は、第２の壁部から見て第１の発熱体３６と重なる位置に設けられるとともに、第２の排気口４５は、第２の壁部から見て第２の発熱体３７と重なる位置に設けられる。この構成によれば、特に第２の壁部の近傍において、第１の発熱体３６および第２の発熱体３７の冷却効率をそれぞれ向上することができる。一般に、第１の排気口４４および第２の排気口４５が設けられる第２の壁部は、冷却風の供給源（ファン３４）から遠い位置にあるため、この付近で冷却効率が低下しやすい。本実施形態によれば、第２の壁部の近傍にある第１の発熱体３６および第２の発熱体３７の冷却効率を向上できるため、冷却風の供給源に近い位置にある発熱体と同程度に第２の壁部の近傍の第１の発熱体３６および第２の発熱体３７を冷却することができる。これによって、発熱体の位置によって冷却効率にばらつきを生じることを防止して、これらを均一に冷却できる。
【００３４】
続いて、図９、図１０を参照して、エレベータの制御装置を適用したエレベータ１１の第４の実施形態について説明する。主として第１の実施形態と異なる部分について説明し、第１の実施形態と共通する箇所については共通の符号を付して説明を省略する。
【００３５】
制御盤１６は、ケース２７の張出部２６内に収納された複数の第１の発熱体３６と、ケース２７の張出部２６内に収納された複数の第２の発熱体３７と、ケース２７の張出部２６内に収納された複数の第３の発熱体４６と、を備えている。第１から第３の発熱体３６、３７、４６は、いわゆる３段重ねで配置される。
【００３６】
図１０に示すように、第１の発熱体３６は、天板４１の近傍に２個配置されている。また、第２の発熱体３７は、天板４１（第１の壁部）から見て第１の発熱体３６よりも遠い位置に２個配置されている。第３の発熱体４６は、天板４１（第１の壁部）から見て第２の発熱体３７よりも遠い位置に２個配置されている。
【００３７】
複数の第１の排気口４４は、前面板４３の天板４１に近い位置、つまり第１の発熱体３６の近傍に設けられており、主として第１の発熱体３６を冷却するために利用された空気流をケース２７の外部に排出する。複数の第２の排気口４５は、天板４１から見て第１の排気口４４よりも遠い位置で、第２の発熱体３７の近傍で前面板４３に設けられており、主として第２の発熱体３７を冷却するために利用された空気流をケース２７の外部に排出する。複数の第３の排気口４７は、天板４１から見て第２の排気口４５よりも遠い位置で、第３の発熱体４６の近傍で前面板４３に設けられており、主として第３の発熱体４６を冷却するために利用された空気流をケース２７の外部に排出する。
【００３８】
全ての第１の排気口４４の開口面積の合計、全ての第２の排気口４５の開口面積の合計、および全ての第３の排気口４７の開口面積の合計の比率は、例えば、３：４：５である。すなわち、第２の排気口４５の開口面積は、第１の排気口４４の開口面積よりも大きく、第３の排気口４７の開口面積は、第２の排気口４５の開口面積よりも大きくなっている。
【００３９】
図１０を参照して、本実施形態の第１の発熱体３６、第２の発熱体３７および第３の発熱体４６の冷却作用について説明する。
【００４０】
ファン３４からケース２７（の張出部）内に送られる空気流は、まずその大部分がそのまま直進して天板４１（第１の壁部）に当たる。その後、当該空気流は方向を変えて前面板４３（第２の壁部）のある方向に流れて、主として第１の発熱体３６を冷却しつつ、第１の排気口４４から熱とともにケース２７の外部に排出される。また、天板４１（第１の壁部）に当たった空気流の一部は、第２の発熱体３７および第３の発熱体４６のある方向（斜め下方向）に流れて、第２の発熱体３７および第３の発熱体４６を冷却する。同様に、ファン３４から送られた空気流のうち、天板４１（第１の壁部）に当たらないで分岐したものは、第２の発熱体３７および第３の発熱体４６の方向に向かって、それぞれ第２の発熱体３７および第３の発熱体４６を冷却する。本実施形態では、第１の排気口４４、第２の排気口４５、および第３の排気口４７の開口比率が３：４：５になっているので、一旦第１の発熱体３６に向かった空気流がそのまま第１の排気口４４から排出されることがなく、第２の排気口４５および第３の排気口４７において積極的に排出されるため、その途中にある第２の発熱体３７、第３の発熱体４６の冷却が促進される。
【００４１】
第４の実施形態によれば、エレベータの制御装置は、第１の壁部と、第１の壁部と隣接する第２の壁部と、を有するケース２７と、第１の壁部に空気流が当たるようにケース２７内部に空気流を送るファン３４と、ケース２７内部で、第１の壁部の近傍に設けられる第１の発熱体３６と、ケース２７内部で、第１の壁部から見て第１の発熱体３６よりも遠い位置に設けられる第２の発熱体３７と、ケース２７内部で、第１の壁部から見て第２の発熱体３７よりも遠い位置に設けられる第３の発熱体４６と、第１の発熱体３６の近傍で第２の壁部に設けられ、空気流をケース２７外部に排出する第１の排気口４４と、第２の発熱体３７の近傍で第１の排気口４４の開口面積よりも大きく第２の壁部に設けられ、空気流をケース２７外部に排出する第２の排気口４５と、第３の発熱体４６の近傍で第２の排気口４５の開口面積よりも大きく第２の壁部に設けられ、空気流をケース２７外部に排出する第３の排気口４７と、を備える。
【００４２】
上記の構成によれば、第２の発熱体３７の近傍の近傍にある第２の排気口４５、および第３の発熱体４６の近傍の近傍にある第３の排気口４７の開口面積を大きくしているため、第２の排気口４５および第３の排気口４７においてより多くの空気をケース２７の外部に排出することができる。これによって、一旦第１の発熱体３６のある方向（第１の排気口４４）に向かった空気流を第２の発熱体３７および第３の発熱体４６のある方向（第２の排気口４５、第３の排気口４７）に迂回させることができ、第１の発熱体３６、第２の発熱体３７、および第３の発熱体４６を均一に冷却することができる。
【００４３】
続いて、図１１、図１２を参照して、エレベータの制御装置を適用したエレベータの第５の実施形態について説明する。主として第４の実施形態と異なる部分について説明し、第４の実施形態と共通する箇所については共通の符号を付して説明を省略する。
【００４４】
図１２に示すように、第１の発熱体３６は、天板４１の近傍に２個配置されている。また、第２の発熱体３７は、天板４１（第１の壁部）から見て第１の発熱体３６よりも遠い位置に２個配置されている。第３の発熱体４６は、天板４１（第１の壁部）から見て第２の発熱体３７よりも遠い位置に２個配置されている。制御盤１６は、張出部２６内でファン３４およびダクト部３５から外れた位置に設けられた整風部材５１をさらに備えている。
【００４５】
複数の第１の排気口４４は、前面板４３の天板４１に近い位置、つまり第１の発熱体３６の近傍に設けられており、主として第１の発熱体３６を冷却するために利用された空気流をケースの外部に排出する。複数の第２の排気口４５は、天板４１から見て第１の排気口４４よりも遠い位置で、第２の発熱体３７の近傍で前面板４３に設けられ、主として第２の発熱体３７の冷却に利用された空気流をケース２７の外部に排出する。複数の第３の排気口４７は、天板４１から見て第２の排気口４５よりも遠い位置で、第３の発熱体４６の近傍で前面板４３に設けられ、主として第３の発熱体４６の冷却に利用された空気流をケース２７の外部に排出する。全ての第１の排気口４４の開口面積の合計、全ての第２の排気口４５の開口面積の合計、および全ての第３の排気口４７の開口面積の合計の比率は、例えば、３：４：５である。
【００４６】
図１１に示すように、第１の排気口４４は、前面板４３（第２の壁部）から見て、つまり正面方向から見て第１の発熱体３６と重なる位置に設けられている。同様に、第２の排気口４５は、前面板４３（第２の壁部）から見て第２の発熱体３７と重なる位置に設けられている。第３の排気口４７は、前面板４３（第２の壁部）から見て第３の発熱体４６と重なる位置に設けられている。
【００４７】
図１２を参照して、本実施形態の第１の発熱体３６、第２の発熱体３７および第３の発熱体４６の冷却作用について説明する。
【００４８】
ファン３４からケース２７（の張出部２６）内に送られる空気流は、まず大部分がそのまま直進して天板４１（第１の壁部）に当たる。その後当該空気流は方向を変えて前面板４３（第２の壁部）のある方向に流れて、主として第１の発熱体３６を冷却しつつ、第１の排気口４４から熱とともにケース２７の外部に排出される。このとき、第１の排気口４４が第１の発熱体３６と重なる位置に設けられているので、第１の排気口４４から排出される空気流は、第１の発熱体３６の上下に分かれて、第１の発熱体３６を巻き込む形で第１の発熱体３６付近を通過する。このため、本実施形態では、第１の発熱体３６の冷却効率が第４の実施形態よりも向上している。
【００４９】
また、天板４１（第１の壁部）に当たった空気流の一部は、第２の発熱体３７および第３の発熱体４６のある方向（斜め下方向）に流れて、第２の発熱体３７および第３の発熱体４６を冷却する。同様に、ファン３４から送られた空気流のうち、天板４１（第１の壁部）に当たらないで分岐したものは、第２の発熱体３７および第３の発熱体４６の方向に向かって第２の発熱体３７および第３の発熱体４６を冷却する。このとき、第２の排気口４５が第２の発熱体３７と重なる位置に設けられているので、第２の排気口４５から排出される空気流は、第２の発熱体３７の上下に分かれて、第２の発熱体３７を巻き込む形で第２の発熱体３７付近を通過する。同様に、第３の排気口４７から排出される空気流は、第３の発熱体４６の上下に分かれて、第３の発熱体４６を巻き込む形で第３の発熱体４６付近を通過する。このため、本実施形態では、第２の発熱体３７および第３の発熱体４６の冷却効率が第４の実施形態よりも向上している。このとき、本実施形態では、第３の発熱体４６の下方に整風部材５１が設けられているので、張出部２６の下側には冷たい空気が滞留しない。
【００５０】
本実施形態によれば、第１の排気口４４は、第１の壁部から見て第１の発熱体３６と重なる位置に設けられ、第２の排気口４５は、第１の壁部から見て第２の発熱体３７と重なる位置に設けられるとともに、第３の排気口４７は、第１の壁部から見て第３の発熱体４６と重なる位置に設けられる。この構成によれば、特に第２の壁部の近傍において、第１の発熱体３６、第２の発熱体３７および第３の発熱体４６の冷却効率をそれぞれ向上することができる。一般に、第１の排気口４４、第２の排気口４５および第３の排気口４７が設けられる第２の壁部は、冷却風の供給源（ファン３４）から遠い位置にあるため、この付近で冷却効率が低下しやすい。本実施形態によれば、第２の壁部の近傍にある第１の発熱体３６、第２の発熱体３７および第３の発熱体４６の冷却効率を向上できるため、冷却風の供給源に近い位置にある発熱体と同程度に第２の壁部の近傍の第１の発熱体３６、第２の発熱体３７および第３の発熱体４６を冷却することができる。これによって、発熱体の位置によって冷却効率にばらつきを生じることを防止して、これらを均一に冷却できる。また、整風部材５１によって、ケース２７の内部（底部）で空気によどみを生じることなく、第１の排気口４４、第２の排気口４５および第３の排気口４７から滑らかに空気を排出できる。
【００５１】
続いて、図１３、図１４を参照して、エレベータの制御装置を適用したエレベータ１１の第６の実施形態について説明する。主として第１の実施形態と異なる部分について説明し、第１の実施形態と共通する箇所については共通の符号を付して説明を省略する。
【００５２】
制御盤１６は、ケース２７の張出部２６内に収納された複数の第１の発熱体３６および複数の第２の発熱体３７と、張出部２６内でファン３４およびダクト部３５から外れた位置に設けられた整風部材５１と、を備えている。
【００５３】
第１の発熱体３６は、天板４１の近傍に２個配置されている。また、第２の発熱体３７は、天板４１（第１の壁部）から見て第１の発熱体３６よりも遠い位置に２個配置されている。
【００５４】
整風部材５１は、天板４１（第１の壁部）から見て第２の発熱体３７よりも遠い位置に設けられている。整風部材５１は、ファン３４に近い位置で、張出部２６内の前後方向Ａにおける全長に亘って設けられている。整風部材５１は、ファン３４からの空気流を第１の発熱体３６および第２の発熱体３７に向けて案内することができる。
【００５５】
本実施形態の第１の発熱体３６および第２の発熱体３７の冷却作用について説明する。
【００５６】
ファン３４からケース２７（の張出部）内に送られる空気流は、まずその大部分がそのまま直進して天板４１（第１の壁部）に当たる。その後当該空気流は方向を変えて前面板４３（第２の壁部）のある方向に流れて、主として第１の発熱体３６を冷却しつつ、第１の排気口４４から熱とともにケース２７の外部に排出される。また、天板４１（第１の壁部）に当たった空気流の一部は、第２の発熱体３７のある方向（斜め下方向）に流れて、第２の発熱体３７を冷却する。同様に、ファン３４から送られた空気流のうち、天板４１（第１の壁部）に当たらないで分岐したものは、第２の発熱体３７の方向に向かって第２の発熱体３７を冷却する。このとき、本実施形態では、第２の発熱体３７の下方に整風部材５１が設けられているので、張出部２６の下側には冷たい空気が滞留しない。
【００５７】
また、本実施形態では、第１の排気口４４と第２の排気口４５との開口比率が１：２になっているので、一旦第１の発熱体３６に向かった空気流がそのまま第１の排気口４４から排出されることなく、第２の排気口４５で積極的に排出され、その途中にある第２の発熱体３７の冷却が促進される。
【００５８】
本実施形態によれば、エレベータの制御装置は、ケース２７内部で第１の発熱体３６および第２の発熱体３７よりもファン３４に近い位置に設けられ、空気流を第１の発熱体３６および第２の発熱体３７に向けて案内する整風部材５１を備える。この構成によれば、ファン３４からの空気流がファン３４近傍に滞留することを防止して、ケース２７の内部（底部）で空気によどみを生じることなく、第１の排気口４４および第２の排気口４５から滑らかに空気を排出できる。これによって、第１の発熱体３６および第２の発熱体３７の冷却効率をさらに向上することができる。
【００５９】
このほか、エレベータの制御装置およびこれを適用したエレベータは、発明の要旨を逸脱しない範囲で種々変形実施できるのは勿論である。
以下に、本願の出願当初の特許請求の範囲に記載された発明を付記する。
［１］
第１の壁部と、前記第１の壁部に隣接した第２の壁部と、を有するケースと、前記第１の壁部に空気流が当たるように前記ケース内部に空気流を送るファンと、前記ケース内部で、前記第１の壁部の近傍に設けられる第１の発熱体と、前記ケース内部で、前記第１の壁部から見て前記第１の発熱体よりも遠い位置に設けられる第２の発熱体と、前記第１の発熱体の近傍で前記第２の壁部に設けられ、前記空気流を前記ケースの外部に排出する第１の排気口と、前記第２の発熱体の近傍で前記第２の壁部に前記第１の排気口の開口面積よりも大きく設けられ、前記空気流を前記ケースの外部に排出する第２の排気口と、を備えることを特徴とするエレベータの制御装置。
［５］
第１の壁部と、前記第１の壁部と隣接する第２の壁部と、を有するケースと、前記第１の壁部に空気流が当たるように前記ケース内部に空気流を送るファンと、前記ケース内部で、前記第１の壁部の近傍に設けられる第１の発熱体と、前記ケース内部で、前記第１の壁部から見て前記第１の発熱体よりも遠い位置に設けられる第２の発熱体と、前記ケース内部で、前記第１の壁部から見て前記第２の発熱体よりも遠い位置に設けられる第３の発熱体と、前記第１の発熱体の近傍で前記第２の壁部に設けられ、前記空気流を前記ケース外部に排出する第１の排気口と、前記第２の発熱体の近傍で前記第１の排気口の開口面積よりも大きく前記第２の壁部に設けられ、前記空気流を前記ケース外部に排出する第２の排気口と、前記第３の発熱体の近傍で前記第２の排気口の開口面積よりも大きく前記第２の壁部に設けられ、前記空気流を前記ケース外部に排出する第３の排気口と、を備えるエレベータの制御装置。
【符号の説明】
【００６０】
１１…エレベータ、２７…ケース、３４…ファン、３６…第１の発熱体、３７…第２の発熱体、４１…天板、４３…前面板、４４…第１の排気口、４５…第２の排気口、４６…第３の発熱体、４７…第３の排気口、５１…整風部材
【図１】
0005797483.tif 000002
【図２】
0005797483.tif 000003
【図３】
0005797483.tif 000004
【図４】
0005797483.tif 000005
【図５】
0005797483.tif 000006
【図６】
0005797483.tif 000007
【図７】
0005797483.tif 000008
【図８】
0005797483.tif 000009
【図９】
0005797483.tif 000010
【図１０】
0005797483.tif 000011
【図１１】
0005797483.tif 000012
【図１２】
0005797483.tif 000013
【図１３】
0005797483.tif 000014
【図１４】
0005797483.tif 000015